(57)【要約】【課題】超音波プローブが静止して所定時間経過すると所定の動作が実行されるよう設定されている場合に、装置の処理状態を示す画像を表示する超音波診断装置および状態表示プログラムを提供する。【解決手段】実施形態に係る超音波診断装置は、動き解析部と、画像生成部と、静止時動作制御部と、状態表示部と、を備える。動き解析部は、被検体に対して超音波の送受信を行う超音波プローブが静止した状態か否かの動き解析をする。静止時動作制御部は、超音波プローブが静止した状態で所定時間が経過すると、あらかじめ設定された動作を実行する。状態表示部は、超音波プローブが静止した状態にあると、動作の実行までの時間を示す画像を超音波画像とともにディスプレイに表示させる一方、超音波プローブが動いていると、静止した状態への移行を検知するために動き解析が実行中であることを示す画像を超音波画像とともにディスプレイに表示させる。【選択図】  図１
2019208592.tif 000002
【特許請求の範囲】
【請求項１】
被検体に対して超音波の送受信を行う超音波プローブが、静止した状態か否かの動き解析をする動き解析部と、
前記超音波プローブの受信信号にもとづいて画像データを生成する画像生成部と、
前記超音波プローブが静止した状態で所定時間が経過すると、あらかじめ設定された動作を実行する静止時動作制御部と、
前記超音波プローブが静止した状態にあると、前記動作の実行までの時間を示す画像を前記画像データにもとづく画像とともにディスプレイに表示させる一方、前記超音波プローブが動いていると、静止した状態への移行を検知するために前記動き解析が実行中であることを示す画像を前記画像データにもとづく画像とともに前記ディスプレイに表示させる状態表示部と、
を備えた超音波診断装置。
【請求項２】
前記静止時動作制御部は、
前記超音波プローブが静止した状態のとき、前記動作までの前記所定時間に対応するカウンタを減算し、前記カウンタがゼロになると前記動作を実行する一方、前記超音波プローブが静止した状態から動いている状態に遷移すると、前記カウンタをリセットし、
前記状態表示部は、
前記超音波プローブが静止した状態から動いている状態に遷移すると、前記動き解析の実行中であることを示す画像を前記ディスプレイに表示させる、
請求項１記載の超音波診断装置。
【請求項３】
前記状態表示部は、
前記超音波プローブが静止した状態で前記所定時間が経過し前記静止時動作制御部により前記動作が実行されると、前記動作が実行されたことを示す画像を前記ディスプレイに表示させる、
請求項１または２に記載の超音波診断装置。
【請求項４】
前記動き解析部は、
前記画像データの所定領域の平均輝度値が閾値以下であると、前記動き解析を中断し、
前記状態表示部は、
前記動き解析が中断されると、前記動き解析の実行中ではないことを示す画像を前記ディスプレイに表示させる、
請求項１ないし３のいずれか１項に記載の超音波診断装置。
【請求項５】
前記静止時動作制御部は、
前記超音波プローブが静止した状態で前記所定時間が経過すると、前記所定時間の経過時に前記画像生成部により生成された前記画像データを記憶部に保存させる自動保存動作を行う、
請求項１ないし４のいずれか１項に記載の超音波診断装置。
【請求項６】
前記動き解析部は、
前記自動保存動作が実行されると、所定の待ち時間だけ前記動き解析を中断し、
前記状態表示部は、
前記自動保存動作が実行され、前記動き解析が中断されると、前記画像データにもとづく画像とともに、前記動き解析の実行中ではないことを示す画像を前記ディスプレイに表示させる、
請求項５記載の超音波診断装置。
【請求項７】
前記静止時動作制御部は、
前記超音波プローブが静止した状態で前記所定時間が経過すると、複数の２次元超音波画像をリアルタイムな動画としてまたは静止画として表示させる２次元表示モードから、リアルタイムに取得されている３次元超音波画像を動画として表示させる４次元表示モードに移行させる、
請求項１ないし６のいずれか１項に記載の超音波診断装置。
【請求項８】
前記動き解析部は、
前記画像データの上部近傍の領域を動き解析領域に設定し、現在より前のフレームと現在のフレームの前記画像データとの間で前記動き解析領域の各画素の動きベクトルを求め、求めた動きベクトルにもとづいて前記動き解析を行う、
請求項１ないし７のいずれか１項に記載の超音波診断装置。
【請求項９】
前記超音波プローブに設けられ、前記超音波プローブの３次元空間上の位置に応じた信号を出力する位置センサ、
をさらに備え、
前記動き解析部は、
前記位置センサの出力にもとづいて前記動き解析を行う、
をさらに備えた請求項１ないし８のいずれか１項に記載の超音波診断装置。
【請求項１０】
コンピュータに、
被検体に対して超音波の送受信を行う超音波プローブが、静止した状態か否かの動き解析をするステップと、
前記超音波プローブが静止した状態で所定時間が経過すると、あらかじめ設定された動作を実行するステップと、
前記超音波プローブが静止した状態にあると、前記動作の実行までの時間を示す画像をディスプレイに表示させるステップと、
前記超音波プローブが動いていると、静止した状態への移行を検知するために前記動き解析が実行中であることを示す画像を前記ディスプレイに表示させるステップと、
を実行させるための状態表示プログラム。
【発明の詳細な説明】
【技術分野】
【０００１】
本発明の実施形態は、超音波診断装置および状態表示プログラムに関する。
【背景技術】
【０００２】
最近、超音波診断装置の超音波プローブのユーザの利便性を高めるよう、ユーザの両手が塞がった状態でも超音波プローブを保持する手で入力操作を行うための技術が開発されている。この種の技術によれば、超音波プローブ自体の動きの条件に応じてあらかじめ操作を割り当てておくことにより、ユーザは超音波プローブを動かすだけで様々な操作を入力することができる。
【０００３】
しかし、ユーザは、超音波プローブ自体の動きが装置にどのように認識されているのかを把握することが難しい。たとえば、超音波プローブが静止して所定時間経過するとあらかじめ所定の動作が実行されるよう設定されている場合であって、当該動作を入力したいと考える場合、ユーザは超音波プローブを静止させようと試みる。しかし、超音波プローブが静止していると実際に装置が判定してくれているのか否か、あるいは、そもそも静止判定を行っているのか否かなどの装置の状態は、ユーザが把握することが難しい。このため、ユーザは手探り状態での作業を強いられてしまい、非常に利便性が悪い。
【先行技術文献】
【特許文献】
【０００４】
【特許文献１】特開２０１０−０９４２７５号公報
【発明の概要】
【発明が解決しようとする課題】
【０００５】
本発明が解決しようとする課題は、超音波プローブが静止して所定時間経過すると所定の動作が実行されるよう設定されている場合に、装置の処理状態を示す画像を表示することである。
【課題を解決するための手段】
【０００６】
実施形態に係る超音波診断装置は、動き解析部と、画像生成部と、静止時動作制御部と、状態表示部と、を備える。動き解析部は、被検体に対して超音波の送受信を行う超音波プローブが、静止した状態か否かの動き解析をする。画像生成部は、超音波プローブの受信信号にもとづいて画像データを生成する。静止時動作制御部は、超音波プローブが静止した状態で所定時間が経過すると、あらかじめ設定された動作を実行する。状態表示部は、超音波プローブが静止した状態にあると、動作の実行までの時間を示す画像を画像データにもとづく画像とともにディスプレイに表示させる一方、超音波プローブが動いていると、静止した状態への移行を検知するために動き解析が実行中であることを示す画像を前記画像データにもとづく画像とともにディスプレイに表示させる。
【図面の簡単な説明】
【０００７】
【図１】一実施形態に係る超音波診断装置および超音波プローブの一構成例を示すブロック図。
【図２】超音波プローブが静止した状態か否かの解析を行う様子の一例を示す説明図。
【図３】超音波プローブが静止して所定時間経過したときに実行すべき所定の動作を設定するための画面の一例を示す説明。
【図４】状態表示機能により、ディスプレイの状態表示領域に静止時動作の実行までの時間を示す画像が表示される場合の一例を示す説明図。
【図５】ディスプレイの状態表示領域に表示される処理回路の処理状態を示す画像の遷移の一例を示す説明図。
【図６】図１に示す処理回路のプロセッサにより、超音波プローブが静止して所定時間経過すると所定の動作が実行されるよう設定されている場合に、処理回路の処理状態を示す画像を表示する際の手順の一例を示すフローチャート。
【発明を実施するための形態】
【０００８】
以下、図面を参照しながら、超音波診断装置および状態表示プログラムの実施形態について詳細に説明する。
【０００９】
本実施形態に係る超音波診断装置は、超音波プローブが静止して所定時間経過すると所定の動作を実行する機能を備えたものである。
【００１０】
図１は、一実施形態に係る超音波診断装置１０および超音波プローブ３０の一構成例を示すブロック図である。以下の説明では、超音波診断装置１０と超音波プローブ３０とが互いにデータ送受信可能に無線接続される場合の例を示す。
【００１１】
超音波診断装置１０は、ディスプレイ２１、入力インターフェース２２、位置情報取得装置２３、および超音波プローブ３０と接続されて用いることができる。なお、超音波診断装置１０は、図１に示すようにディスプレイ２１および入力インターフェース２２を備えてもよいし、超音波プローブ３０を備えてもよいし、位置情報取得装置２３を備えてもよい。超音波診断装置１０は、タブレット型やスマートフォン型であってもよい。
【００１２】
超音波診断装置１０は、図１に示すように、送受信回路１１、Ｂモード処理回路１２、ドプラ処理回路１３、画像生成回路１４、画像メモリ１５、記憶回路１６、通信回路１７、および処理回路１９を有する。
【００１３】
送受信回路１１は、送信回路および受信回路を有する。送受信回路１１は、処理回路１９に制御されて、超音波の送受信における送信指向性と受信指向性とを制御する。なお、図１には送受信回路１１が超音波診断装置１０に設けられる場合の例について示したが、送受信回路１１は超音波プローブ３０に設けられてもよいし、超音波診断装置１０と超音波プローブ３０の両方に設けられてもよい。
【００１４】
送信回路は、パルス発生器、送信遅延回路およびパルサ回路などを有し、超音波振動子に駆動信号を供給する。パルス発生器は、所定のレート周波数で、送信超音波を形成するためのレートパルスを繰り返し発生する。送信遅延回路は、超音波振動子から発生される超音波をビーム状に集束して送信指向性を決定するために必要な圧電振動子ごとの遅延時間を、パルス発生器が発生する各レートパルスに対し与える。また、パルサ回路は、レートパルスにもとづくタイミングで、超音波振動子に駆動パルスを印加する。送信遅延回路は、各レートパルスに対し与える遅延時間を変化させることで、圧電振動子面から送信される超音波ビームの送信方向を任意に調整する。
【００１５】
受信回路は、アンプ回路、Ａ／Ｄ変換器、加算器などを有し、超音波振動子が受信したエコー信号を受け、このエコー信号に対して各種処理を行なってエコーデータを生成する。アンプ回路は、エコー信号をチャンネルごとに増幅してゲイン補正処理を行なう。Ａ／Ｄ変換器は、ゲイン補正されたエコー信号をＡ／Ｄ変換し、デジタルデータに受信指向性を決定するのに必要な遅延時間を与える。加算器は、Ａ／Ｄ変換器によって処理されたエコー信号の加算処理を行なってエコーデータを生成する。加算器の加算処理により、エコー信号の受信指向性に応じた方向からの反射成分が強調される。
【００１６】
Ｂモード処理回路１２は、受信回路からエコーデータを受信し、対数増幅、包絡線検波処理などを行なって、信号強度が輝度の明るさで表現されるデータ（Ｂモードデータ）を生成する。ドプラ処理回路１３は、受信回路から受信したエコーデータから速度情報を周波数解析し、ドプラ効果による血流や組織、造影剤エコー成分を抽出し、平均速度、分散、パワーなどの移動態情報を多点について抽出したデータ（ドプラデータ）を生成する。
【００１７】
画像生成回路１４は、超音波プローブ３０が受信したエコー信号にもとづいて超音波画像データを生成する。たとえば、画像生成回路１４は、Ｂモード処理回路１２が生成した２次元のＢモードデータから反射波の強度を輝度にて表した２次元Ｂモード画像データを生成する。また、画像生成回路１４は、ドプラ処理回路１３が生成した２次元のドプラデータから移動態情報を表す平均速度画像、分散画像、パワー画像、または、これらの組み合わせ画像としての２次元のカラードプラ画像の画像データを生成する。
【００１８】
画像メモリ１５は、処理回路１９が生成した２次元超音波画像を記憶する記憶回路である。
【００１９】
記憶回路１６は、磁気的もしくは光学的記録媒体または半導体メモリなどの、プロセッサにより読み取り可能な記録媒体を含んだ構成を有する。記憶回路１６の記憶媒体内のプログラムおよびデータの一部または全部は電子ネットワークを介した通信によりダウンロードされてもよいし、光ディスクなどの可搬型記憶媒体を介して記憶回路１６に与えられてもよい。なお、記憶回路１６に記憶される情報の一部または全部は、外部の記憶回路や超音波プローブ３０の図示しない記憶回路などの記憶媒体の少なくとも１つに分散されて記憶され、あるいは複製されて記憶されてもよい。
【００２０】
通信回路１７は、近距離無線通信用の種々のプロトコルを実装し、超音波プローブ３０の通信回路３１とネットワークを介さずに直接にデータ送受信することができる。
【００２１】
タイマ１８は、処理回路１９により制御され、所定時間をセットされて起動されると、所定時間に応じたカウント値をカウンタにセットする。タイマ１８は、計時を開始すると、クロックパルスの数に応じてカウンタを減算し、所定時間が経過すると、処理回路１９に対してタイムアウト信号を出力し計時を停止する。また、タイマ１８は、処理回路１９からリセットすべき旨の指示を受けると、所定時間に応じたカウント値にカウンタをリセットする。
【００２２】
処理回路１９は、超音波診断装置１０を統括制御する機能を実現する。また、処理回路１９は、記憶回路１６に記憶された状態表示プログラムを読み出して実行することにより、超音波プローブ３０が静止して所定時間経過すると所定の動作が実行されるよう設定されている場合に、処理回路１９の処理状態を示す画像を表示するための処理を実行するプロセッサである。
【００２３】
ディスプレイ２１は、たとえば液晶ディスプレイやＯＬＥＤ（Organic Light Emitting Diode）ディスプレイなどの一般的な表示出力装置により構成され、処理回路１９の制御に従って各種情報を表示する。なお、超音波診断装置１０は、ディスプレイ２１および入力インターフェース２２の少なくとも一方を備えずともよい。
【００２４】
入力インターフェース２２は、たとえばトラックボール、スイッチ、ボタン、マウス、キーボード、操作面へ触れることで入力操作を行なうタッチパッド、光学センサを用いた非接触入力回路、および音声入力回路等などの一般的な入力装置により実現され、ユーザの操作に対応した操作入力信号を処理回路１９に出力する。
【００２５】
また、超音波診断装置１０がタブレット型やスマートフォン型の超音波診断装置１０である場合は、ディスプレイ２１と入力インターフェース２２は一体としてタッチパネルを構成してもよい。
【００２６】
超音波診断装置１０は、図１に示すように、位置情報取得装置２３の出力信号を取得してもよい。位置情報取得装置２３は、たとえば磁気センサ、赤外線センサ、光学センサ、または加速度センサなどを用いて構成することができる。また、位置情報取得装置２３は、超音波プローブ３０の筐体にマーカが設けられている場合、このマーカを複数のカメラにより撮像した複数方向からの画像にもとづいて、超音波プローブ３０の位置情報を求めてもよい。この場合、あらかじめ、マーカと振動子配列面または超音波プローブ３０の筐体の所定位置との距離がオフセット情報として記憶回路１６に記憶されているとよい。
【００２７】
たとえば、位置情報取得装置２３がトランスミッタ、位置センサとしての磁気センサ、および制御装置を有する場合、トランスミッタは、基準信号を送信する。具体的には、トランスミッタは、任意の位置に配置され、トランスミッタを中心として外側に向かって磁場を形成する。位置センサとしての磁気センサは、基準信号を受信することにより、３次元空間上の位置情報を取得する。具体的には、位置センサとしての磁気センサは、超音波プローブ３０の表面に装着され、トランスミッタによって形成された３次元の磁場を検出して、検出した磁場の情報を信号に変換して、制御装置に出力する。
【００２８】
また、この場合、制御装置は、磁気センサから受信した信号にもとづいて、トランスミッタを原点とする３次元座標における磁気センサの座標および向きを算出し、算出した座標および向きを超音波プローブ３０の位置情報として処理回路１９に出力する。
【００２９】
超音波プローブ３０は、音響レンズ、整合層、複数の超音波振動子（圧電振動子）により構成される振動子群、圧電振動子から後方への超音波の伝播を防止するバッキング材、およびこれらを内包するケースなどを有する。
【００３０】
超音波プローブ３０としては、スキャン方向（アジマス方向）に複数の超音波振動子が配列されるとともにレンズ方向（エレベーション方向）にも複数の素子が配列された２次元アレイプローブを用いることができる。この種の２次元アレイプローブとしては、たとえば１．５Ｄアレイプローブ、１．７５Ｄアレイプローブや、２Ｄアレイプローブなどを用いることができる。
【００３１】
なお、超音波プローブ３０は、ボリュームデータを取得可能に構成されてもよい。この場合、２次元アレイプローブである超音波プローブ３０により被検体を３次元でスキャンしてもよいし、複数の圧電振動子が一列で配置された１次元超音波プローブである超音波プローブ３０により被検体を２次元でスキャンするまたはこれら複数の超音波振動子を回転させることで被検体を３次元でスキャンしてもよいし、１次元超音波プローブの複数の圧電振動子を機械的に揺動してもよい。
【００３２】
超音波プローブ３０がボリュームデータを取得可能な場合、ユーザは、複数の２次元超音波画像のいずれかをリアルタイムな動画としてまたは静止画として表示させる２次元表示モード（２Ｄモード）と、リアルタイムに取得されている３次元超音波画像を動画として表示させる４次元表示モード（４Ｄモード）とのいずれかのモードを選択可能である。
【００３３】
また、超音波プローブ３０は、図１に示すように通信回路３１を有する。超音波プローブ３０の通信回路３１の構成および作用は、超音波診断装置１０の通信回路１７の構成および作用と実質的に異ならないため、説明を省略する。
【００３４】
また、超音波プローブ３０は、処理回路および記憶回路を有してもよい。この場合、超音波診断装置１０の処理回路１９の機能の一部または全部は、超音波プローブ３０の処理回路が超音波プローブ３０の記憶回路に記憶されたプログラムを読み出して実行することにより実行されてもよい。
【００３５】
また、図１には超音波診断装置１０と超音波プローブ３０が無線接続される場合の例を示したが、この無線接続は、超音波プローブ３０にケーブルを介して接続された無線通信機能を備えた通信アダプタにより実現されてもよい。この場合、通信アダプタは超音波プローブ３０の筐体とプラグ等により接続されてもよく、この場合ケーブルは不要である。また、超音波診断装置１０と超音波プローブ３０は有線接続されてもよい。有線接続される場合、超音波プローブ３０は、ケーブルおよび接続コネクタを介して、超音波診断装置１０と着脱自在に接続される。なお、接続コネクタが超音波プローブ３０の筐体に一体的に設けられている場合は、ケーブルは不要である。
【００３６】
続いて、本実施形態に係る処理回路１９のプロセッサによる実現機能例について説明する。図１に示すように、処理回路１９のプロセッサは、静止時動作設定機能４１、動き解析機能４２、状態表示機能４３、および静止時動作制御機能４４を実現する。これらの各機能４１−４４は、それぞれプログラムの形態で記憶回路１６に記憶されている。
【００３７】
図２は、超音波プローブ３０が静止した状態か否かの解析を行う様子の一例を示す説明図である。なお、図２にはＢモード画像が扇形で表示される場合の例を示したが、Ｂモード画像は四角形や台形で表示されてもよい。本実施形態に係る超音波プローブ３０は超音波プローブ３０を移動させながら所定のフレームレートで撮影可能なものであればよく、コンベックス型やリニア型などの型式および圧電振動子の配置形状に制限はない。
【００３８】
超音波画像にもとづいて超音波プローブ３０が静止した状態か否かの解析（以下、動き解析という）を行なう場合、たとえば、超音波画像データの所定領域を動き解析の対象領域（以下、動き解析領域という）５１に設定し、現在より前のフレーム（たとえば１つ前のフレーム）の超音波画像データと現在のフレームの超音波画像データとの間で、動き解析領域５１の各画素の動きベクトルを求めるとよい。
【００３９】
一般に、ユーザは、被検体の関心領域（ＲＯＩ）がＢモード画像データの中心付近に位置するように超音波プローブ３０を操作する。ＲＯＩは、心臓等の動く部位である場合があり、この場合、動き解析領域５１にＲＯＩが含まれてしまうと、動き解析領域５１の動きベクトルは超音波プローブ３０の移動量および移動方向を示すものとはならない。
【００４０】
このため、動き解析領域５１にＲＯＩが含まれないように、動き解析領域５１は、画像データのうち少なくともＲＯＩが含まれると予想される中央領域（以下、ＲＯＩ予想領域という）を避けるように、画像データの各角部近傍に設けることが好ましい。また、画像データの角部のうち、画像データの上部近傍の領域は、輝度が高いことが多いため、動き解析領域５１としてより好ましい。さらに、画像データの上部の動き解析領域５１のうち、特に輝度値が高い高輝度領域５２を解析対象として動きベクトルを求めることで、超音波プローブ３０の移動量および移動方向を安定して求めることができると考えられる（図２参照）。また、動き解析領域５１を複数箇所設定することにより、超音波プローブ３０の移動量および移動方向をより正確に求めることができる。
【００４１】
静止時動作設定機能４１は、超音波プローブ３０が静止して所定時間経過したときに実行すべき所定の動作を設定する。
【００４２】
図３は、超音波プローブ３０が静止して所定時間経過したときに実行すべき所定の動作を設定するための画面（静止時動作設定画面）６０の一例を示す説明図である。
【００４３】
図３に示すように、静止時動作設定画面６０は、超音波プローブ３０が静止して所定時間経過したときに実行すべき所定の動作（以下、静止時動作という）の選択画像６１と、所定の動作が実行されるまでに超音波プローブ３０が静止する所定時間の選択画像６２と、を含むとよい。
【００４４】
図３の静止時動作の選択画像６１において、「自動画像保存」とは、超音波プローブ３０が静止して所定時間経過すると、所定時間の経過時に画像生成回路１４により生成された画像データを記憶回路１６に保存させる動作をいう。「自動画像保存」によれば、ユーザは、保存したい画像が表示された状態で超音波プローブ３０を所定時間静止させるだけで、他の操作を一切必要とせずに、自動的に当該画像を記憶回路１６に保存させることができる。また、入力インターフェース２２を用いて保存指示する場合に生じうる超音波プローブ３０のずれを未然に防ぐことができ、確実に所望の画像を保存することができる。
【００４５】
また、「２Ｄモード→４Ｄモード」とは、超音波プローブ３０がボリュームデータを取得可能な場合に、２Ｄモードで超音波画像を表示中に超音波プローブ３０が静止して所定時間経過すると、自動的に４Ｄモードに移行させる動作をいう。一般に、２Ｄモードのほうが、４Ｄモードよりもフレームレートが高く解像度も高いため、関心領域を探すのに適している。「２Ｄモード→４Ｄモード」を選択した場合、ユーザは、まず２Ｄモードで注目したい断面を探してから、超音波プローブ３０を所定時間静止させるだけで、他の操作を一切必要とせずに、自動的に当該断面を含む４Ｄモード表示に移行することができる。
【００４６】
入力インターフェース２２を用いてモード移行指示する場合、この指示操作によって超音波プローブ３０がずれてしまうことがある。この点、本実施形態に係る「２Ｄモード→４Ｄモード」によれば、ユーザは、所望の断面が表示された位置で超音波プローブ３０を静止させておくだけで、超音波プローブ３０がずれることなく正確な位置で４Ｄモードに移行することができる。
【００４７】
動き解析機能４２は、上述の通り、超音波画像データの所定領域を動き解析領域５１に設定し、現在より前のフレーム（たとえば１つ前のフレーム）の超音波画像データと現在のフレームの超音波画像データとの間で、動き解析領域５１のうちの高輝度領域５２の各画素の動きベクトルを求める。また、動き解析機能４２は、求めた動きベクトルにもとづいて超音波プローブ３０が静止しているか否かを解析する。
【００４８】
また、超音波診断装置１０が位置情報取得装置２３を備えるなどして位置情報取得装置２３の出力信号を取得可能に構成される場合は、動き解析機能４２は、位置センサの出力にもとづいて動き解析を行ってもよい。また、動き解析機能４２は、動き解析領域５１を用いた解析と、位置センサを用いた解析とを組み合わせてもよい。この場合、動き解析機能４２は、たとえば両者が一致した結果になった場合に、動き解析結果を最終出力してもよい。
【００４９】
ところで、静止時動作が設定され、当該静止時動作の実行を所望する場合、ユーザは、超音波プローブ３０を静止しようと試みる。しかし、超音波プローブ３０が静止していると実際に処理回路１９が判定してくれているのか否か、あるいは、そもそも静止判定を行っているのか否かなどの処理回路１９の処理状態は、ユーザが把握することが難しい。
【００５０】
そこで、状態表示機能４３は、超音波プローブ３０が静止した状態にあると、Ｂモード画像とともに、ディスプレイ２１の状態表示領域７０に処理回路１９の処理状態を示す画像を表示する。静止時動作制御機能４４は、超音波プローブ３０が静止した状態で所定時間が経過すると、あらかじめ設定された動作（静止時動作）を実行する。
【００５１】
図４は、状態表示機能４３により、ディスプレイ２１の状態表示領域７０に静止時動作の実行までの時間を示す画像７１が表示される場合の一例を示す説明図である。
【００５２】
超音波プローブ３０が静止した状態にあると動き解析機能４２が解析している場合は、図４に示すように、静止時動作の実行までの時間を示す画像（以下、残り時間画像という）７１を表示させる。ユーザは、残り時間画像７１が表示されていることにより、静止時動作が実行されるまで、あとどのくらい超音波プローブ３０を静止させておけばよいのかの情報のみならず、超音波プローブ３０が静止していると装置が認識してくれていることを明確に把握することができる。
【００５３】
残り時間画像７１は、静止時動作が実行されるまでの残り時間をユーザが直感的に理解しやすい画像であるとよく、たとえば残り時間が減るに応じて延びるインジケータや残り時間を示す文字情報などを用いることができる。また、インジケータは残り時間に応じて長さだけでなく色を変化させてもよい。また、インジケータは図４に示すような棒状に限られず、たとえば円グラフなどであってもよい。また、残り時間表示ではなく経過時間を表示させてもよい。
【００５４】
図５は、ディスプレイ２１の状態表示領域７０に表示される処理回路１９の処理状態を示す画像の遷移の一例を示す説明図である。図５には、静止時動作が「自動画像保存」である場合の一例を示した。
【００５５】
残り時間画像７１が表示されているときに、超音波プローブ３０が動いていると動き解析機能４２が解析し、静止時動作制御機能４４によるタイマ１８のカウンタ減算がリセットされると、状態表示機能４３は、静止した状態への再度の移行を検知するために動き解析を実行中であることを示す画像（以下、動き解析中画像という）７２を、状態表示領域７０に表示させる（図５の「detecting」参照）。
【００５６】
動き解析中画像７２は、超音波プローブ３０が静止するのを装置が待っている状態を示す画像である。動き解析中画像７２は、動き解析機能４２が、動き解析領域５１で求めた動きベクトルにもとづいて超音波プローブ３０が静止しているか否かを解析している状態であることをユーザが直感的に理解しやすい画像とするとよい。図５には、動き解析中画像７２として、文字「detecting」とともに、残り時間画像７１のインジケータに対応する画像を白抜きで表示する場合の例を示した。
【００５７】
反対に、動き解析中画像７２が表示されているときに、超音波プローブ３０が静止していると動き解析機能４２が解析し、静止時動作制御機能４４がタイマ１８のカウンタを減算しはじめると、状態表示機能４３は、状態表示領域７０の表示画像を、動き解析中画像７２から残り時間画像７１に遷移させる。
【００５８】
残り時間画像７１と動き解析中画像７２により、ユーザは、超音波プローブ３０が静止していると装置が認識しているのか、動いていると装置が認識しているのか、を容易に理解することができる。また、残り時間画像７１から動き解析中画像７２に遷移した場合、ユーザは、静止時動作がキャンセルされたことを容易に把握することができる。また、動き解析中画像７２から残り時間画像７１に遷移した場合、ユーザは、静止時動作へのカウントダウンが始まったことを容易に把握することができるとともに、静止時動作の実行までの残り時間を容易に把握することができる。
【００５９】
また、スキャン開始直後など、Ｂモード画像に被検体の構造物が含まれていない場合や、ゲインを低く設定しており画像が非常に暗い場合などは、当該画像は、そもそも重要な画像とは考えられず超音波プローブ３０の動き解析をするに値しない画像であるといえる。このため、動き解析機能４２は、画像データの所定領域の平均輝度値が閾値以下であると、動き解析してよい画像ではないと判断して動き解析を中断する。所定領域としては、たとえば図２に示した動き解析領域５１の上部領域を用いてもよいし、画像全体を用いてもよいし、ＲＯＩを含む領域を用いてもよい。
【００６０】
この場合、状態表示機能４３は、動き解析の実行中ではないことを示す画像（以下、解析中断画像という）７３を状態表示領域７０に表示させるとよい。図５には、解析中断画像７３として、文字「waiting」とともに、残り時間画像７１のインジケータに対応する画像を灰色で表示する場合の例を示した。解析中断画像７３の表示中は、動き解析が実行されないため、ユーザが超音波プローブ３０を動かしても静止させても、動き解析機能４２は無視する。
【００６１】
また、残り時間画像７１が表示されているときに、残り時間がゼロとなって静止時動作が実行されると、静止時動作が実行されたことを示す画像（以下、動作実行画像という）７４を表示するとよい（図５の「stored」参照）。動作実行画像７４を表示することにより、ユーザは静止時動作が確かに実行されたことを視認することができる。
【００６２】
また、図５に示した自動画像保存の例では、画像を１枚または所定枚数保存した後は、カウンタをリセットするとともに動き解析を所定の待ち時間だけ中断させてもよい。この場合は、残り時間画像７１から直接、または残り時間画像７１から動作実行画像７４を経て、解析中断画像７３を所定の待ち時間だけ表示するとよい。この場合、自動画像保存の実行後にユーザが超音波プローブ３０を静止させ続けた場合に、同じ超音波画像が連続して保存され続けてしまうことを確実に防ぐことができる。
【００６３】
また、画像を１枚または所定枚数保存した後、カウンタをリセットして、残り時間画像７１から直接に動き解析中画像７２に移行してもよい。この場合、ユーザは、静止時動作設定画面６０で設定した所定時間ごとに連続して画像を自動保存させることができる。なお、状態表示領域７０に表示される処理回路１９の処理状態を示す画像７１−７４は、超音波画像とともにディスプレイ２１に表示されると両画像をユーザが同時に視認しやすく好ましいが（図４参照）、超音波画像を伴わずにディスプレイ２１に表示されてもよいし、超音波画像とは異なる表示装置に表示されてもよい。この種の表示装置としては、たとえば超音波プローブ３０の筐体に設けられたディスプレイ（図示せず）を用いてもよい。
【００６４】
次に、本実施形態に係る超音波診断装置１０および状態表示プログラムの動作の一例について説明する。
【００６５】
図６は、図１に示す処理回路１９のプロセッサにより、超音波プローブ３０が静止して所定時間経過すると所定の動作が実行されるよう設定されている場合に、処理回路１９の処理状態を示す画像を表示する際の手順の一例を示すフローチャートである。図６において、Ｓに数字を付した符号はフローチャートの各ステップを示す。
【００６６】
まず、ステップＳ１において、静止時動作設定機能４１は、たとえば静止時動作設定画面６０を介してユーザにより指示されて、超音波プローブ３０が静止して所定時間経過したときに実行すべき所定の動作（静止時動作）を設定する（図３参照）。
【００６７】
次に、ステップＳ２において、動き解析機能４２は、Ｂモード画像を取得する。
【００６８】
次に、ステップＳ３において、動き解析機能４２は、取得したＢモード画像が動き解析してよい画像であるか（動き解析するに値する画像であるか）否かを判定する。具体的には、動き解析機能４２は、画像データの所定領域の平均輝度値が閾値以下であるか否かを判定する。動き解析するに値する画像ではないと判断すると、動き解析機能４２は動き解析を中断する（ステップＳ３のＮＯ）。そして、状態表示機能４３が状態表示領域７０に解析中断画像７３を表示し（ステップＳ４）、ステップＳ２に戻る。たとえばスキャン開始直後など、Ｂモード画像に被検体の構造物が含まれていない場合には、動き解析機能４２は動き解析を中断する。
【００６９】
一方、動き解析するに値する画像であると判断すると、ステップＳ５において、状態表示機能４３は、残り時間画像７１を表示中か否かを判定する。残り時間画像７１を表示中ではない場合は（ステップＳ５のＮＯ）、状態表示機能４３は動き解析中画像７２を表示する（ステップＳ６）。一方、残り時間画像７１を表示中である場合は（ステップＳ５のＹＥＳ）、ステップＳ７において、動き解析機能４２は、超音波画像データの所定領域を動き解析領域５１に設定し、現在より前のフレーム（たとえば１つ前のフレーム）の超音波画像データと現在のフレームの超音波画像データとの間で、動き解析領域５１のうちの高輝度領域５２の各画素の動きベクトルを求める。
【００７０】
次に、ステップＳ８において、動き解析機能４２は、求めた動きベクトルにもとづいて超音波プローブ３０が静止しているか否かを解析する。超音波プローブ３０が動いている場合は、ステップＳ９に進み、タイマ１８を制御して静止時動作までのカウンタをリセットして、ステップＳ２に戻る。一方、超音波プローブ３０が静止している場合は、ステップＳ１０に進む。
【００７１】
なお、超音波診断装置１０が位置情報取得装置２３の出力信号を取得可能に構成される場合は、ステップＳ７およびＳ８において、動き解析機能４２は、位置センサの出力にもとづいて動き解析（超音波プローブ３０が静止しているか否かの解析）を行ってもよい。
【００７２】
次に、ステップＳ１０において、静止時動作制御機能４４は、タイマ１８を制御して静止時動作までの所定時間に応じたカウント値をカウンタにセットして計時を開始させ、状態表示機能４３は残り時間画像７１を状態表示領域７０に表示させる。ステップＳ１０を実行するのが２度目以降の場合は、静止時動作制御機能４４は、経過時間に応じてカウンタを減算し、状態表示機能４３は残り時間画像７１を残り時間に応じて更新する。
【００７３】
次に、ステップＳ１１において、静止時動作制御機能４４は、カウンタがゼロか否かを判定する。カウンタがゼロと判定された場合は（ステップＳ１１のＹＥＳ）、静止時動作制御機能４４が静止時動作を実行し、状態表示機能４３が動作実行画像７４を表示して、一連の手順は終了となる。一方、カウンタがゼロではないと判定された場合は（ステップＳ１１のＮＯ）、ステップＳ２に戻る。
【００７４】
なお、静止時動作が自動画像保存である場合は、ステップＳ１２の実行後、カウンタをリセットするとともに、ステップＳ４に戻って動き解析を所定の待ち時間だけ中断させるとよい。この場合は、残り時間画像７１から直接、または残り時間画像７１から動作実行画像７４を経て、解析中断画像７３を所定の待ち時間表示するとよい。この場合、同じ超音波画像が連続して保存され続けてしまうことを確実に防ぐことができる。
【００７５】
以上の手順により、静止時動作が設定されている場合に、処理回路１９の処理状態を示す画像を表示することができる。
【００７６】
本実施形態に係る超音波診断装置１０は、静止時動作に係る処理状態を示す画像７１−７４を状態表示領域７０に表示することができる。このため、ユーザは、処理回路１９の処理状態を容易に把握することができる。したがって、本実施形態に係る超音波診断装置１０によれば、ユーザは静止時動作を不安なく最大限に活用することができるため、検査のスループットを大幅に向上させることができる。
【００７７】
以上説明した少なくとも１つの実施形態によれば、超音波プローブ３０が静止して所定時間経過すると所定の動作が実行されるよう設定されている場合に、処理回路１９の処理状態を示す画像を表示することができる。
【００７８】
なお、本実施形態における処理回路１９の動き解析機能４２、状態表示機能４３および静止時動作制御機能４４は、それぞれ特許請求の範囲における動き解析部、状態表示部および静止時動作制御部の一例である。また、本実施形態における画像生成回路１４は、特許請求の範囲における画像生成部の一例である。
【００７９】
なお、上記実施形態において、「プロセッサ」という文言は、たとえば、専用または汎用のＣＰＵ（Central Processing Unit）、ＧＰＵ（Graphics Processing Unit）、または、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびＦＰＧＡ）等の回路を意味するものとする。プロセッサは、記憶媒体に保存されたプログラムを読み出して実行することにより、各種機能を実現する。
【００８０】
また、上記実施形態では処理回路の単一のプロセッサが各機能を実現する場合の例について示したが、複数の独立したプロセッサを組み合わせて処理回路を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００８１】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１０  超音波診断装置
１４  画像生成回路
１９  処理回路
２１  ディスプレイ
２３  位置情報取得装置
３０  超音波プローブ
４２  動き解析機能
４３  状態表示機能
４４  静止時動作制御機能
５１  動き解析領域
６０  静止時動作設定画面
７０  状態表示領域
７１  残り時間画像
７２  動き解析中画像
７３  解析中断画像
７４  動作実行画像
【図１】
2019208592.tif 000003
【図２】
2019208592.tif 000004
【図３】
2019208592.tif 000005
【図４】
2019208592.tif 000006
【図５】
2019208592.tif 000007
【図６】
2019208592.tif 000008